(57)【特許請求の範囲】
【請求項１】
スチームトラップの温度および振動の少なくとも一方を検出するセンサと、該センサの検出値に関する信号を送信する無線の送信機とが設けられるスチームトラップの設置構造であって、
上記センサは、上記スチームトラップに接して固定され、
上記送信機は、上記センサと信号線によって接続される一方、
地面に載置され、上記スチームトラップと上記送信機とが別々に設置される１つの設置台を備え、
上記設置台は、水平に配置され、上記スチームトラップが載置される座板と、上記座板の下面に設けられる複数の脚と、上記座板の上面に垂直に立てられる立て板とを有し、
上記スチームトラップは、側面が上記立て板の正面に接した状態で、下部が上記座板に固定され、
上記送信機は、上記立て板の背面に固定されているスチームトラップの設置構造。
【請求項２】
請求項１に記載のスチームトラップの設置構造において、
上記設置台に支持されると共に、上記センサを上記スチームトラップの上方から該スチームトラップの上面に押し付けて固定するセンサ固定具を備えているスチームトラップの設置構造。
【発明の詳細な説明】
【技術分野】
【０００１】
本発明は、センサおよび送信機が設けられたスチームトラップの設置構造に関するものである。
【背景技術】
【０００２】
例えば特許文献１に開示されているように、センサおよび送信機（電子アナライザ）が設けられたスチームトラップが知られている。このスチームトラップでは、該スチームトラップの温度等がセンサによって検出され、その検出値に関する信号が送信機から別の受信機に送信される。こうして、スチームトラップの温度等を遠隔監視するようにしている。
【先行技術文献】
【特許文献】
【０００３】
【特許文献１】特表２００１−５００９５２号公報
【発明の概要】
【発明が解決しようとする課題】
【０００４】
ところで、上記の特許文献１に開示されているようなスチームトラップは、雨等による水没を回避するために、地面に直接配置せず、台の上に固定して地面から距離を置いて設置することが知られている。これは、スチームトラップが水没すると、スチームトラップの温度等を正確に検出することが困難になるからである。
【０００５】
しかしながら、上述したスチームトラップの設置構造では、スチームトラップ全体の重心位置が高くなるため、スチームトラップ全体の姿勢が不安定となる。つまり、上記の特許文献１に開示のスチームトラップでは、その上部において下からセンサおよび送信機が順に接続固定されているため、台の上に設置されることで全体の重心位置が高くなり、姿勢が不安定となる。特に、最上に位置する送信機の姿勢が不安定となる。そのため、送信機から送信される電波の偏波面が変化してしまい、送信が正確に行われない場合があった。つまり、送信機からの電波の偏波面が変化すると、受信機において送信機の電波を正確に受信できなくなる。
【０００６】
本発明は、かかる事情に鑑みてなされたものであり、その目的は、水没を防止しつつ、送信機による送信動作を正確に行うことができるスチームトラップの設置構造を提供することにある。
【課題を解決するための手段】
【０００７】
本発明は、スチームトラップの温度および振動の少なくとも一方を検出するセンサと、該センサの検出値に関する信号を送信する無線の送信機とが設けられるスチームトラップの設置構造を対象としている。そして、上記センサは、上記スチームトラップに接して固定され、上記送信機は、上記センサと信号線によって接続されている。さらに、本発明は、地面に載置され、上記スチームトラップと上記送信機とが別々に設置される１つの設置台を備えている。
【発明の効果】
【０００８】
本発明によれば、センサおよび送信機を含むスチームトラップを設置台に設置するようにしたため、スチームトラップの水没等を防止することができる。さらに、本発明によれば、センサと送信機とは信号線によって接続し、１つの設置台においてスチームトラップと送信機とを別々に設置（固定）するようにしたため、送信機の姿勢を安定させることができる。したがって、送信機の電波の偏波面を一定に維持することができる。以上より、スチームトラップの水没を防止しつつ、送信機による送信動作を正確に行うことができる。
【図面の簡単な説明】
【０００９】
【図１】図１は、実施形態に係る蒸気システムの概略構成を示す配管系統図である。
【図２】図２は、実施形態に係るスチームトラップおよび送信機の設置構造を概略的に示す側面図である。
【発明を実施するための形態】
【００１０】
以下、本発明の実施形態について図面を参照しながら説明する。なお、以下の実施形態は、本質的に好ましい例示であって、本発明、その適用物、あるいはその用途の範囲を制限することを意図するものではない。
【００１１】
図１に示す本実施形態の蒸気システム１は、蒸気（飽和蒸気）で対象物（例えば、反応釜）を加熱するものであり、本発明に係るスチームトラップ１１の設置構造を備えている。なお、ここに示す蒸気システム１は、本発明に係るスチームトラップ１１の設置構造が設けられるものとしての一例である。蒸気システム１は、蒸気生成部２と、複数（本実施形態では、６つ）の蒸気使用系統と、ドレン集合部４とを有している。
【００１２】
蒸気生成部２は、水を加熱して蒸気（飽和蒸気）を生成するものである。６つの蒸気使用系統は、それぞれ、熱交換器３およびスチームトラップ１１を有している。蒸気生成部２は、供給菅５を介して６つの蒸気使用系統に接続されている。つまり、供給菅５は６つに分岐して蒸気使用系統に接続されている。なお、上述した蒸気使用系統の数は、単なる一例であり、本発明は２つ以上の蒸気使用系統を有していればよい。
【００１３】
各蒸気使用系統において、熱交換器３は入口部が供給菅５を介して蒸気生成部２に接続されている。熱交換器３は、蒸気生成部２から供給された蒸気が対象物に放熱して凝縮し、対象物が加熱される。蒸気は、凝縮することによってドレン（復水）になる。つまり、熱交換器３は、蒸気の凝縮潜熱によって対象物を加熱（潜熱加熱）する潜熱熱交換器である。出口部が流出管１２を介してスチームトラップ１１の入口部に接続されている。
【００１４】
スチームトラップ１１は、入口部が流入管６を介して熱交換器３の出口部に接続され、出口部が流出管７を介してドレン集合部４に接続されている。スチームトラップ１１は、熱交換器３で蒸気の凝縮によって発生したドレン（復水）または蒸気混じりのドレン（復水）が流入し、その流入したドレンのみを自動的に出口部から排出するものである。
【００１５】
ドレン集合部４は、比較的細長い管状の容器であり、６つの蒸気使用系統のそれぞれと接続されている。ドレン集合部４は、各蒸気使用系統においてスチームトラップ１１から排出されたドレンが流入して集合する。ドレン集合部４の底部には、ドレンが排出されるドレン排出管８が接続されている。実際は、ドレン集合部４では、ドレンの一部が蒸発して蒸気となり、ドレンと共に蒸気もドレン排出管８に排出される。
【００１６】
〈スチームトラップの設置構造〉
上述した各スチームトラップ１１の設置構造１０（以下、単に設置構造１０と言う。）について図２を参照しながら説明する。設置構造１０は、１つのスチームトラップ１１と、１つの設置台４０とを備えている。図２は、流出管７側から視て示すものである。
【００１７】
スチームトラップ１１は、センサ２１と送信機２５が設けられている。センサ２１は、スチームトラップ１１の温度および振動の両方を検出するものである。なお、センサ２１はスチームトラップ１１の温度および振動の一方のみを検出するものであってもよい。送信機２５は、センサ２１の検出値（検出温度および検出振動）が入力され、その検出値に関する信号を受信機（図示省略）に送信する無線型のものである。
【００１８】
設置台４０は、地面に載置され、スチームトラップ１１と送信機２５とが別々に設置されるものである。具体的に、設置台４０は、座板４１と、複数の脚４３と、立て板４４とを有している。座板４１は水平に配置され、座板４１の下面に脚４３が設けられている。脚４３は、棒状に形成され、地面に接している。立て板４４は、座板４１の座面４２（上面）における外縁に設けられている。立て板４４は、座板４１に対して垂直に立てられている。
【００１９】
スチームトラップ１１、センサ２１および送信機２５は、設置台４０に設置されている。スチームトラップ１１は、設置台４０における座板４１に上（座面４２）に載置されている。スチームトラップ１１は、側面１５が立て板４４の正面４５に接した状態で、下部１４が座板４１にボルト等で固定されている。なお、上述したようにスチームトラップ１１の出口部１２には流出管７が接続されている。
【００２０】
センサ２１は、略棒状（略円柱状）に形成されており、先端（図２において下端）がスチームトラップ１１の上面１３に接して固定されている。具体的に、設置構造１０にはセンサ２１をスチームトラップ１１に固定するためのセンサ固定具２３が設けられている。センサ固定具２３は、例えば板状の部材であり、一端（図２において右側端部）が設置台４０における立て板４４の上部に支持され、他端（図２において左側端部）がセンサ２１に取り付けられている。センサ固定具２３は、センサ２１をスチームトラップ１１の上方から該スチームトラップ１１の上面に押し付けて固定する。つまり、センサ２１はスチームトラップ１１の上面１３において略垂直に立った状態で配置される。
【００２１】
送信機２５は、信号線２２によってセンサ２１と接続されている。送信機２５は、設置台４０においてスチームトラップ１１とは異なる箇所に設置（固定）されている。具体的に、送信機２５は設置台４０における立て板４４の背面４６にボルト等で固定されている。送信機２５の上部には、受信機に向けて電波を発するアンテナ２６が設けられている。本実施形態では、送信機２５はスチームトラップ１１と概ね同じ高さに設置されている。
【００２２】
上述した設置構造１０では、センサ２１の先端によってスチームトラップ１１の温度および振動が検出され、その検出値が信号線２２によって送信機２５に送られる。送信機２５では、センサ２１から送られた検出値に関する信号が電波としてアンテナ２６から発せられる。送信機２５からの電波は受信機に受信され、スチームトラップ１１の状態（温度および振動）が遠隔監視される。
【００２３】
以上のように、上記実施形態の設置構造１０によれば、スチームトラップ１１、センサ２１および送信機２５を設置台４０に設置するようにした。これにより、スチームトラップ１１、センサ２１および送信機２５が地面から距離を置いて設置されるため、スチームトラップ１１等が雨等によって水没するのを防止することができる。よって、スチームトラップ１１の温度や振動をセンサ２１によって正確に検出することができる。
【００２４】
さらに、上記実施形態の設置構造１０によれば、センサ２１と送信機２５とは信号線２２によって接続し、１つの設置台４０においてスチームトラップ１１と送信機２５とを別々に設置（固定）するようにした。これにより、送信機２５を確実に設置台４０に固定することができるので、送信機２５の姿勢を安定させることができる。したがって、送信機２５のアンテナ２６から発せられる電波の偏波面を一定に維持することができる。よって、送信機２５から受信機へ電波を正確に送ることができる。以上のように、上記実施形態によれば、スチームトラップ１１の水没を防止しつつ、送信機２５による送信動作を正確に行うことができるスチームトラップ１１の設置構造１０を提供することができる。
【００２５】
また、上記実施形態の設置構造１０では、センサ２１をスチームトラップ１１の上方から該スチームトラップ１１の上面１３に押し付けて固定するセンサ固定具２３を設けるようにした。そのため、センサ固定具２３による押付け作用によってスチームトラップ１１が設置台４０の座板４１に押し付けられる。これにより、スチームトラップ１１をより確実に座板４１に固定することができ、スチームトラップ１１の姿勢をより安定に維持することができる。したがって、センサ２１によってスチームトラップ１１の温度および振動をより正確に検出することができる。
【００２６】
また、上記実施形態の設置構造１０では、設置台４０においてスチームトラップ１１を座板４１に設置し送信機２５を立て板４４の背面４６に設置するようにしたため、設置構造１０全体の重量バランスを良くすることができる。したがって、スチームトラップ１１および送信機２５の姿勢をより一層安定させることができる。
【００２７】
なお、上記実施形態の設置構造１０では、設置台４０を椅子型に形成したが、本発明に係る設置台４０は、スチームトラップ１１や送信機２５を地面から距離を置いて設置し、スチームトラップ１１と送信機２５とを別々の箇所に設置することができるものであれば如何なる形状であってもよい。
【００２８】
また、上記実施形態の設置構造１０において、スチームトラップ１１および送信機２５の固定方法はそれぞれ設置台４０に固定することができれば如何なる方法でもよい。また、センサ２１の固定方法についても、センサ２１の先端をスチームトラップ１１に接した状態で固定することができれば如何なる方法でもよい。
【産業上の利用可能性】
【００２９】
本発明は、センサおよび送信機が設けられたスチームトラップの設置構造について有用である。
【符号の説明】
【００３０】
１０      スチームトラップの設置構造
１１      スチームトラップ
１３      上面
２１      センサ
２２      信号線
２３      センサ固定具
２５      送信機
４０      設置台
４１      座板
【図１】
0006425455.tif 000002
【図２】
0006425455.tif 000003